(57)【要約】【課題】ノズル面の磨耗耐久性を向上させたインクジェットヘッド、インクジェットヘッド洗浄システム、および、インクジェットヘッドの洗浄方法を提供する。【解決手段】インクを吐出する複数のインク吐出用ノズル１５１と、洗浄液を供給する複数の洗浄液供給ノズル１７０と、が形成されたノズルプレートと、前記インク吐出用ノズルに流路を介して繋がる圧力室と、前記圧力室内の液体に圧力を加えるエネルギー発生素子と、洗浄液供給ノズルに洗浄液を供給する洗浄液供給流路と、を備えることを特徴とするインクジェットヘッド、および、インクジェットヘッドを備える洗浄システム、洗浄方法である。【選択図】図６
2013049246.tif 000002
【特許請求の範囲】
【請求項１】
インクを吐出する複数のインク吐出用ノズルと、洗浄液を供給する複数の洗浄液供給ノズルと、が形成されたノズルプレートと、
前記インク吐出用ノズルに流路を介して繋がる圧力室と、
前記圧力室内の液体に圧力を加えるエネルギー発生素子と、
前記洗浄液供給ノズルに洗浄液を供給する洗浄液供給流路と、を備えることを特徴とするインクジェットヘッド。
【請求項２】
前記ノズルプレートは水平面に対して傾斜して設けられていることを特徴とする請求項１に記載のインクジェットヘッド。
【請求項３】
前記ノズルプレートに撥水膜が形成されていることを特徴とする請求項１又は２に記載のインクジェットヘッド。
【請求項４】
前記洗浄液供給ノズルに洗浄液を供給する洗浄液供給用ポンプを外部に有することを特徴とする請求項１から３のいずれか１項に記載のインクジェットヘッド。
【請求項５】
前記洗浄液供給ノズルは、前記インク吐出用ノズルと同形状、同寸法であることを特徴とする請求項１から４のいずれか１項に記載のインクジェットヘッド。
【請求項６】
前記洗浄液供給ノズルは、前記ノズルプレートの傾斜に対して、付着した洗浄液が落下する側の前記洗浄液供給ノズルを前記傾斜の上側と比較し、大きくすることを特徴とする請求項２から４のいずれか１項に記載のインクジェットヘッド。
【請求項７】
前記洗浄液供給ノズルは、前記ノズルプレートの傾斜に対して、付着した洗浄液が落下する方向に、前記洗浄液供給ノズルの大きさが段階的に大きくなることを特徴とする請求項６に記載のインクジェットヘッド。
【請求項８】
前記洗浄液供給ノズルは、前記ノズルプレートをワイピングする際のワイピング方向に対して、前記インク吐出用ノズルの上流側に設けられていることを特徴とする請求項１から７のいずれか１項に記載のインクジェットヘッド。
【請求項９】
前記ノズルプレートのワイピング方向に沿って、前記洗浄液供給ノズルと、前記インク吐出用ノズルと、が隣り合って形成されていることを特徴とする請求項１から８のいずれか１項に記載のインクジェットヘッド。
【請求項１０】
請求項１から９のいずれか１項に記載のインクジェットヘッドと、
前記インクジェットヘッドのノズルプレートに洗浄液を付与する洗浄液付与手段と、
前記インクジェットヘッドのノズルプレートを払拭する払拭装置と、を備えることを特徴とするインクジェットヘッド洗浄システム。
【請求項１１】
請求項１から９のいずれか１項に記載のインクジェットヘッドを移動させるヘッド移動工程と、
前記インクジェットのノズル面に洗浄液を吹き付ける洗浄液付与工程と、
前記ノズルプレートの洗浄液供給ノズルの先端に洗浄液を供給する洗浄液供給工程と、
前記洗浄液供給ノズルの先端の洗浄液を払拭部材で伝播させながら前記ノズルプレートを払拭する払拭工程と、を有することを特徴とするインクジェットヘッドの洗浄方法。
【請求項１２】
前記洗浄液供給工程および前記払拭工程は、前記洗浄液供給ノズルの背圧が前記インク吐出用ノズルの背圧より正圧側であることを特徴とする請求項１１に記載のインクジェットヘッドの洗浄方法。
【請求項１３】
前記払拭工程後の前記ノズルプレートの状態、および、前記払拭部材の着色を確認し、前記洗浄液供給ノズルの背圧を制御する制御工程を有することを特徴とする請求項１１又は１２に記載のインクジェットヘッドの洗浄方法。
【発明の詳細な説明】
【技術分野】
【０００１】
本発明は、インクジェットヘッド、インクジェットヘッド洗浄システム、および、インクジェットヘッドの洗浄方法に係り、特に走行する帯状の払拭ウエブを押圧ローラでノズル面に押圧当接させて、ノズル面を払拭する際のノズル面の撥水膜の劣化を防止するインクジェットヘッド、インクジェットヘッド洗浄システム、および、インクジェットヘッドの洗浄方法に関する。
【背景技術】
【０００２】
インクジェット記録装置で用いられるインクジェットヘッドのノズル面には、使用によりインクの残渣、紙粉など様々な異物が付着する。ノズル面に異物が付着していると、ノズルから吐出されるインク液滴が影響を受けて、インク液滴の吐出方向にバラツキが生じ、記録媒体上の所定の位置にインク液滴を着弾させることが困難となり、画像品質が劣化する原因となる。そこで、インクジェット記録装置では、異物を定期的にワイピングなどのメンテナンス方法で除去することが重要となっている。
【０００３】
ノズル面をワイピングする際、ノズル面に付着している洗浄液の量が少ないと、乾燥した状態でワイピングを行なうため、ノズル面の磨耗故障が発生する、あるいは、ノズルから顔料が染み出し、この染み出した顔料によりノズル面の磨耗故障が発生するため、吐出方向が曲がるといった問題があった。
【０００４】
たとえば、下記の特許文献１には、液体を吐出する吐出口が設けられた吐出口面と、吐出口面に対向し配置された空隙形成部材と、を有し、この空隙に保湿液を供給することで、吐出口面を保湿することが記載されている。引用文献２には、あらかじめ洗浄液を含浸させたテープを当接することによりノズルプレートの洗浄を行なうことが記載されている。
【０００５】
また、特許文献３には、ノズル面に洗浄液を吹き付ける、ノズル面を洗浄液に含浸させることで、ノズル面のミスト、固化インクを除去することが記載されている。特許文献４には、洗浄液をワイピングシートに噴霧し、含浸させた状態でワイプを行なうことが記載されている。
【先行技術文献】
【特許文献】
【０００６】
【特許文献１】特開２００６−８８６８９号公報
【特許文献２】特開２００５−２３８６１１号公報
【特許文献３】特開２００６−１４２６２１号公報
【特許文献４】特開２００６−２３９６２０号公報
【発明の概要】
【発明が解決しようとする課題】
【０００７】
特許文献１に記載されている記録ヘッドは、ノズルの保湿を目的とし、保湿液を保持しており、積極的に洗浄液を付与していない。また、ノズル部がザグリ構造となっているので、ノズル近傍を拭くことができなかった。さらに、ノズル近傍で保湿液とインクが混合する、インク固化などの問題があった。特許文献２は、ノズル面に洗浄液を吹き付ける方式ではないため、固化したインクが取りにくい、含浸されたテープは液体をさらに吸収することができないため、ノズル面に液残渣が残り、さらにブレードでのワイピングが必要であった。
【０００８】
特許文献３は、洗浄液を吹き付ける機能のみであるため、ノズル面に形成された撥水膜により、洗浄液が流れてしまい、ワイプ時に洗浄液が残らないことが考えられる。この場合、ノズルからインクの引き出しが発生し、顔料を含んだ液を用いたワイプ磨耗により撥水膜の寿命が短くなるという問題があった。特許文献４も、ノズルに洗浄液を吹き付けていないため、ノズル面のミストや、固化インクが取りにくかった。また、シートにはあらかじめ液が含浸しているため、液体をそれ以上吸い取ることができず、ノズル面に液体残渣が残ってしまい、液タレや、吐出方向が曲がるという問題があった。
【０００９】
本発明はこのような事情に鑑みてなされたものであり、固化インクの除去、および、ワイプ時のインク用ノズルからのインク引き出しを抑え、ノズル面の磨耗耐久性、特に撥水膜の顔料による磨耗耐久性を高く保つことができるインクジェットヘッド、インクジェットヘッド洗浄システム、および、インクジェットヘッドの洗浄方法を提供することを目的とする。
【課題を解決するための手段】
【００１０】
本発明は前記目的を達成するために、インクを吐出する複数のインク吐出用ノズルと、洗浄液を供給する複数の洗浄液供給ノズルと、が形成されたノズルプレートと、前記インク吐出用ノズルに流路を介して繋がる圧力室と、前記圧力室内の液体に圧力を加えるエネルギー発生素子と、前記洗浄液供給ノズルに洗浄液を供給する洗浄液供給流路と、を備えることを特徴とするインクジェットヘッドを提供する。
【００１１】
本発明によれば、ノズルプレートにインク吐出用ノズルとは、別に、洗浄液供給ノズルが形成されている。したがって、洗浄液供給ノズルから洗浄液を供給することで、その後の払拭部材によるワイピングにおいて、払拭部材を洗浄液で濡らしておくことができる。したがって、乾いた払拭部材でワイピングすることを防止することができるので、ノズル面のワイプ耐久性を向上させることができる。
【００１２】
また、払拭部材に洗浄液を供給し、濡れた状態としているため、インク吐出用ノズルのインクを引き出すことを抑えることができるので、払拭部材に顔料が付着し、この顔料が付着した払拭部材でノズル面をワイピングすることを防止することができるので、顔料によるノズルプレートの劣化を防止することができる。
【００１３】
本発明の他の態様に係るインクジェットヘッドは、前記ノズルプレートは水平面に対して傾斜して設けられていることが好ましい。
【００１４】
本発明によれば、ノズルプレートが傾斜して設けられているため、ノズルプレートに付与した洗浄液がノズルプレートから落ち易くなっている。したがって、洗浄液供給ノズルから洗浄液を供給することで、払拭部材により払拭する際に、洗浄液供給ノズルからの洗浄液により、払拭部材を湿らすことができるので、乾いた払拭部材での払拭、インクの引き出しによる顔料を有する払拭部材での払拭を防止することができる。したがって、ワイプ耐久性を向上させることができる。
【００１５】
本発明の他の態様に係るインクジェットヘッドは、前記ノズルプレートに撥水膜が形成されていることが好ましい。
【００１６】
本発明によれば、ノズル面のワイプ耐久性を向上させることができるので、ノズルプレートに撥水膜が形成されている場合においても、撥水膜の劣化を抑制してワイピングを行なうことができる。
【００１７】
本発明の他の態様に係るインクジェットヘッドは、前記洗浄液供給ノズルに洗浄液を供給する洗浄液供給用ポンプを外部に有することが好ましい。
【００１８】
本発明によれば、洗浄液供給ノズルに洗浄液を供給する洗浄液供給用ポンプを備えているので、インクの背圧制御とは別に洗浄液の背圧制御を行なうことができる。したがって、払拭部材でワイピングする際に、洗浄液とインクとで、個別に洗浄液とインクの背圧を制御することで、洗浄液を払拭部材で引き出し易くし、インクを引き出し難くすることができる。
【００１９】
本発明の他の態様に係るインクジェットヘッドは、前記洗浄液供給ノズルは、前記インク吐出用ノズルと同形状、同寸法であることが好ましい。
【００２０】
本発明によれば、洗浄液供給ノズルの形状、大きさをインク吐出用ノズルと同形状、同寸法としているので、インク吐出用ノズルを形成する工程と同時にインク吐出用ノズルの形成を行なうことができる。
【００２１】
本発明の他の態様に係るインクジェットヘッドは、前記洗浄液供給ノズルは、前記ノズルプレートの傾斜に対して、付着した洗浄液が落下する側の前記洗浄液供給ノズルを前記傾斜の上側と比較し、大きくすることが好ましい。
【００２２】
洗浄液付与装置によりノズルプレートに洗浄液を付与する場合、ノズルプレートに付着した洗浄液の液タレを防止するためノズルプレートの傾斜に対して、付着した洗浄液が落下するノズルプレートの下側の洗浄液を除去している。したがって、ノズルプレートの傾斜に対して、上側には洗浄液が残るが、下側に付着した洗浄液は拭き取られることになる。
【００２３】
本発明によれば、洗浄液供給ノズルの大きさを付着した洗浄液の落下する方向に大きくしているので、ノズルプレートに付着した洗浄液が少ない側の洗浄液供給ノズルの大きさを大きくしている。したがって、払拭部材に補給する洗浄液の量を増やすことができる。
【００２４】
本発明の他の態様に係るインクジェットヘッドは、前記洗浄液供給ノズルは、前記ノズルプレートの傾斜に対して、付着した洗浄液が落下する方向に、前記洗浄液供給ノズルの大きさが段階的に大きくなることが好ましい。
【００２５】
本発明によれば、洗浄液供給ノズルの大きさを付着した洗浄液の落下する方向に段階的に大きくしているので、ノズルプレートに付着した洗浄液の量が少ない側に向かって洗浄液供給ノズルを大きくしている。したがって、払拭部材に補給する洗浄液の量を増やすことができる。
【００２６】
本発明の他の実施形態に係るインクジェットヘッドは、前記洗浄液供給ノズルは、前記ノズルプレートをワイピングする際のワイピング方向に対して、前記インク吐出用ノズルの上流側に設けられていることが好ましい。
【００２７】
本発明によれば、洗浄液供給ノズルは、インク吐出用ノズルのワイピング方向の上流側に設けられているため、払拭部材により洗浄液を引き出した後に、インク吐出用ノズルのワイピングを行なうことができる。したがって、払拭部材に洗浄液を効率良く付与することができるので、インク吐出用ノズルからインクの引き出しを行なうことなく、ワイピングを行なうことができる。
【００２８】
本発明の他の実施形態に係るインクジェットヘッドは、前記ノズルプレートのワイピング方向に沿って、前記洗浄液供給ノズルと、前記インク吐出用ノズルと、が隣り合って形成されていることが好ましい。
【００２９】
本発明によれば、ノズルプレートのワイピング方向に沿って、洗浄液供給ノズルとインク吐出用ノズルと、が隣り合って形成されているため、洗浄液供給ノズルから引き出した洗浄液を含む払拭部材の位置でインク吐出用ノズルを洗浄することができ、効率良く洗浄することができる。
【００３０】
本発明は前記目的を達成するために、上記記載のインクジェットヘッドと、前記インクジェットヘッドのノズルプレートに洗浄液を付与する洗浄液付与手段と、前記インクジェットヘッドのノズルプレートを払拭する払拭装置と、を備えることを特徴とするインクジェットヘッドの洗浄システムを提供する。
【００３１】
本発明によれば、洗浄液付与手段とは別に、ノズルプレートに洗浄液を供給する洗浄液供給ノズルを有しているので、払拭装置と組み合わせることで、払拭部材が洗浄液で湿った状態で、インク吐出用ノズルからのインクの引き出しを行なうことなく、払拭部材により払拭することができるので、インクジェットヘッド洗浄システムとして好適に用いることができる。
【００３２】
本発明は前記目的を達成するために、上記記載のインクジェットヘッドを移動させるヘッド移動工程と、前記インクジェットのノズル面に洗浄液を吹き行ける洗浄液付与工程と、前記ノズルプレートの洗浄液供給ノズルの先端に洗浄液を供給する洗浄液供給工程と、前記洗浄液供給ノズルの先端の洗浄液を払拭部材で伝播させながら前記ノズルプレートを払拭する払拭工程と、を有することを特徴とするインクジェットヘッドの洗浄方法を提供する。
【００３３】
本発明によれば、インクジェットヘッドのノズルプレートに洗浄液を供給する洗浄液供給ノズルを有し、ノズル面に洗浄液を吹き付ける洗浄液付与工程とは別に、洗浄液供給ノズルの先端に洗浄液を供給する洗浄液供給工程を有している。したがって、洗浄液付与工程により、ノズルプレートに付着した固化インクを除去することができる。また、洗浄液付与工程で吹き付けた洗浄液がノズルプレートに残っていなくても、洗浄液供給工程で、洗浄液をノズルプレートに補給することができるので、次の工程の払拭工程を行なう際、払拭部材を洗浄液で湿らしておくことができ、払拭部材によるノズルプレートのワイプ耐久性を向上させることができる。
【００３４】
本発明の他の態様に係るインクジェットヘッドの洗浄方法によれば、前記洗浄液供給工程および前記払拭工程は、前記洗浄液供給ノズルの背圧が前記インク吐出用ノズルの背圧より正圧側であることが好ましい。
【００３５】
本発明によれば、洗浄液供給工程および払拭工程において、洗浄液供給ノズルの背圧を、インク吐出用ノズルの背圧より正圧側としている。したがって、洗浄液供給ノズル中の洗浄液をインク供給用ノズルのインクより吐出部側に配置することができるので、インクより洗浄液を引き出し易くすることができ、洗浄液が付与された払拭部材でワイピングをすることができる。
【００３６】
本発明の他の態様に係るインクジェットヘッドの洗浄方法によれば、前記払拭工程後の前記ノズルプレートの状態、および、前記払拭部材の着色を確認し、前記洗浄液供給ノズルの背圧を制御する制御工程を有することが好ましい。
【００３７】
本発明によれば、払拭工程後のノズルプレートおよび払拭部材を確認し、洗浄液供給ノズルの背圧を制御する制御工程を有している。したがって、ノズルプレートにインクの引き出しが見られる、あるいは、払拭部材の着色が見られる場合は、洗浄液の量が不足していると考えられるので、洗浄液供給ノズルの背圧を正圧に近づけ、払拭部材への洗浄液の付与量を増加させることが好ましい。また、ノズルプレートに洗浄液の残渣が残る場合は、背圧を負圧側にし、払拭部材への洗浄液の付与量を少なくすることが好ましい。
【発明の効果】
【００３８】
本発明のインクジェットヘッド、インクジェットヘッド洗浄システム、および、インクジェットヘッドの洗浄方法によれば、ワイピング時の顔料の濃度を下げることで、撥水膜のワイプ耐性を向上させることができる。
【図面の簡単な説明】
【００３９】
【図１】本実施形態のインクジェットヘッドが適用されたインクジェット記録装置の全体構成図である。
【図２】図１に示すインクジェットヘッドの構成例を示す平面図である。
【図３】図２の一部拡大図である。
【図４】図２に示すヘッドモジュールの平面透視図である。
【図５】インクジェットヘッドの立体的構成を示す断面図である。
【図６】インクジェットヘッドのノズル面から見た平面図である。
【図７】インクジェット記録装置の描画部の概略構成を示す側面図である。
【図８】インクジェット記録装置の描画部の正面図である。
【図９】図８に示す洗浄液付与装置の概略構成を示す全体構成図である。
【図１０】図９に示す洗浄液付与装置の他の態様の概略構成図である。
【図１１】図６に示すヘッドのノズル面の他の態様を示す平面図である。
【図１２】払拭装置をメンテナンス位置から見た側面図である。
【図１３】払拭ユニットの平面図である。
【図１４】払拭ユニットの正面部分断面図である。
【発明を実施するための形態】
【００４０】
以下、添付図面に従って本発明の好ましい実施の形態について説明する。
【００４１】
≪インクジェット記録装置の全体構成≫
まず、本発明が適用されるインクジェット記録装置の全体構成について説明する。図１は、インクジェット記録装置の全体構成を示した構成図である。
【００４２】
このインクジェット記録装置１０は、描画部１６の圧胴（描画ドラム７０）に保持された記録媒体２４（便宜上「用紙」と呼ぶ場合がある。）にインクジェットヘッド７２Ｍ，７２Ｋ，７２Ｃ，７２Ｙから複数色のインクを打滴して所望のカラー画像を形成する圧胴直描方式のインクジェット記録装置であり、インクの打滴前に記録媒体２４上に処理液（ここでは凝集処理液）を付与し、処理液とインク液を反応させて記録媒体２４上に画像形成を行なう２液反応（凝集）方式が適用されたオンデマンドタイプの画像形成装置である。
【００４３】
図示のように、インクジェット記録装置１０は、主として、給紙部１２、処理液付与部１４、描画部１６、乾燥部１８、定着部２０、および排出部２２を備えて構成される。
【００４４】
（給紙部）
給紙部１２は、記録媒体２４を処理液付与部１４に供給する機構であり、当該給紙部１２には、枚葉紙である記録媒体２４が積層されている。給紙部１２には、給紙トレイ５０が設けられ、この給紙トレイ５０から記録媒体２４が一枚ずつ処理液付与部１４に給紙される。
【００４５】
本例のインクジェット記録装置１０では、記録媒体２４として、紙種や大きさ（用紙サイズ）の異なる複数種類の記録媒体２４を使用することができる。給紙部１２において各種の記録媒体をそれぞれ区別して集積する複数の用紙トレイ（不図示）を備え、これら複数の用紙トレイの中から給紙トレイ５０に送る用紙を自動で切り換える態様も可能であるし、必要に応じてオペレータが用紙トレイを選択し、若しくは交換する態様も可能である。なお、本例では、記録媒体２４として、枚葉紙（カット紙）を用いるが、連続用紙（ロール紙）から必要なサイズに切断して給紙する構成も可能である。
【００４６】
（処理液付与部）
処理液付与部１４は、記録媒体２４の記録面に処理液を付与する機構である。処理液は、描画部１６で付与されるインク中の色材（本例では顔料）を凝集させる色材凝集剤を含んでおり、この処理液とインクとが接触することによって、インクは色材と溶媒との分離が促進される。
【００４７】
図１に示すように、処理液付与部１４は、給紙胴５２、処理液ドラム５４、および処理液塗布装置５６を備えている。処理液ドラム５４は、記録媒体２４を保持し、回転搬送させるドラムである。処理液ドラム５４は、その外周面に爪形状の保持手段（グリッパー）５５を備え、この保持手段５５の爪と処理液ドラム５４の周面の間に記録媒体２４を挟み込むことによって記録媒体２４の先端を保持できるようになっている。処理液ドラム５４は、その外周面に吸着穴を設けるとともに、吸着穴から吸引を行なう吸引手段を接続してもよい。これにより記録媒体２４を処理液ドラム５４の周面に密着保持することができる。
【００４８】
処理液ドラム５４の外側には、その周面に対向して処理液塗布装置５６が設けられる。処理液塗布装置５６は、処理液が貯留された処理液容器と、この処理液容器の処理液に一部が浸漬されたアニックスローラと、アニックスローラと処理液ドラム５４上の記録媒体２４に圧接されて計量後の処理液を記録媒体２４に転移するゴムローラとで構成される。この処理液塗布装置５６によれば、処理液を計量しながら記録媒体２４に塗布することができる。
【００４９】
処理液付与部１４で処理液が付与された記録媒体２４は、処理液ドラム５４から中間搬送部２６を介して描画部１６の描画ドラム７０へ受け渡される。
【００５０】
（描画部）
描画部１６は、描画ドラム（第２の搬送体）７０、用紙抑えローラ７４、およびインクジェットヘッド７２Ｍ，７２Ｋ，７２Ｃ，７２Ｙを備えている。描画ドラム７０は、処理液ドラム５４と同様に、その外周面に爪形状の保持手段（グリッパー）７１を備える。描画ドラム７０に固定された記録媒体２４は、記録面が外側を向くようにして搬送され、この記録面にインクジェットヘッド７２Ｍ，７２Ｋ，７２Ｃ，７２Ｙからインクが付与される。
【００５１】
インクジェットヘッド７２Ｍ，７２Ｋ，７２Ｃ，７２Ｙはそれぞれ、記録媒体２４における画像形成領域の最大幅に対応する長さを有するフルライン型のインクジェット方式の記録ヘッド（インクジェットヘッド）とすることが好ましい。インク吐出面には、画像形成領域の全幅にわたってインク吐出用のノズルが複数配列されたノズル列が形成されている。各インクジェットヘッド７２Ｍ，７２Ｋ，７２Ｃ，７２Ｙは、記録媒体２４の搬送方向（描画ドラム７０の回転方向）と直交する方向に延在するように設置される。
【００５２】
描画ドラム７０上に密着保持された記録媒体２４の記録面に向かって各インクジェットヘッド７２Ｍ，７２Ｋ，７２Ｃ，７２Ｙから、対応する色インクの液滴が吐出されることにより、処理液付与部１４であらかじめ記録面に付与された処理液にインクが接触し、インク中に分散する色材（顔料）が凝集され、色材凝集体が形成される。これにより、記録媒体２４上での色材流れなどが防止され、記録媒体２４の記録面に画像が形成される。
【００５３】
なお、本例では、ＣＭＹＫの標準色（４色）の構成を例示したが、インク色や色数の組合せについては本実施形態に限定されず、必要に応じて淡インク、濃インク、特別色インクを追加してもよい。たとえば、ライトシアン、ライトマゼンタなどのライト系インクを吐出するインクジェットヘッドを追加する構成も可能であり、各色ヘッドの配置順序も特に限定はない。
【００５４】
描画部１６で画像が形成された記録媒体２４は、描画ドラム７０から中間搬送部２８を介して乾燥部１８の乾燥ドラム７６へ受け渡される。
【００５５】
（乾燥部）
乾燥部１８は、色材凝集作用により分離された溶媒に含まれる水分を乾燥させる機構であり、図１に示すように、乾燥ドラム７６、および溶媒乾燥装置７８を備えている。
【００５６】
乾燥ドラム７６は、処理液ドラム５４と同様に、その外周面に爪形状の保持手段（グリッパー）７７を備え、この保持手段７７によって記録媒体２４の先端を保持できるようになっている。
【００５７】
溶媒乾燥装置７８は、乾燥ドラム７６の外周面に対向する位置に配置され、複数のＩＲヒータ８２と、各ＩＲヒータ８２の間にそれぞれ配置された温風噴出しノズル８０とで構成される。
【００５８】
各温風噴出しノズル８０から記録媒体２４に向けて吹き付けられる温風の温度と風量、各ＩＲヒータ８２の温度を適宜調節することにより、様々な乾燥条件を実現することができる。
【００５９】
また、乾燥ドラム７６の表面温度は５０℃以上に設定されている。記録媒体２４の裏面から加熱を行なうことによって乾燥が促進され、定着時における画像破壊を防止することができる。なお、乾燥ドラム７６の表面温度の上限については、特に限定されるものではないが、乾燥ドラム７６の表面に付着したインクをクリーニングするなどのメンテナンス作業の安全性（高温による火傷防止）の観点から７５℃以下（より好ましくは６０℃以下）に設定されることが好ましい。
【００６０】
乾燥ドラム７６の外周面に、記録媒体２４の記録面が外側を向くように（即ち、記録媒体２４の記録面が凸側となるように湾曲させた状態で）保持し、回転搬送しながら乾燥することで、記録媒体２４のシワや浮きの発生を防止でき、これらに起因する乾燥ムラを確実に防止することができる。
【００６１】
乾燥部１８で乾燥処理が行われた記録媒体２４は、乾燥ドラム７６から中間搬送部３０を介して定着部２０の定着ドラム８４へ受け渡される。
【００６２】
（定着部）
定着部２０は、定着ドラム８４、ハロゲンヒータ８６、定着ローラ８８、およびインラインセンサ９０で構成される。定着ドラム８４は、処理液ドラム５４と同様に、その外周面に爪形状の保持手段（グリッパー）８５を備え、この保持手段８５によって記録媒体２４の先端を保持できるようになっている。
【００６３】
定着ドラム８４の回転により、記録媒体２４は記録面が外側を向くようにして搬送され、この記録面に対して、ハロゲンヒータ８６による予備加熱と、定着ローラ８８による定着処理と、インラインセンサ９０による検査が行われる。
【００６４】
ハロゲンヒータ８６は、所定の温度（例えば、１８０℃）に制御される。これにより、記録媒体２４の予備加熱が行われる。
【００６５】
定着ローラ８８は、乾燥させたインクを加熱加圧することによってインク中の自己分散性熱可塑性樹脂微粒子を溶着し、インクを皮膜化させるためのローラ部材であり、記録媒体２４を加熱加圧するように構成される。具体的には、定着ローラ８８は、定着ドラム８４に対して圧接するように配置されており、定着ドラム８４との間でニップローラを構成するようになっている。これにより、記録媒体２４は、定着ローラ８８と定着ドラム８４との間に挟まれ、所定のニップ圧（例えば、０．１５ＭＰａ）でニップされ、定着処理が行われる。
【００６６】
また、定着ローラ８８は、熱伝導性の良いアルミなどの金属パイプ内にハロゲンランプを組み込んだ加熱ローラによって構成され、所定の温度（たとえば６０〜８０℃）に制御される。この加熱ローラで記録媒体２４を加熱することによって、インクに含まれる熱可塑性樹脂微粒子のＴｇ温度（ガラス転移点温度）以上の熱エネルギーが付与され、熱可塑性樹脂微粒子が溶融される。これにより、記録媒体２４の凹凸に押し込み定着が行われるとともに、画像表面の凹凸がレベリングされ、光沢性が得られる。
【００６７】
なお、図１の実施形態では、定着ローラ８８を１つだけ設けた構成となっているが、画像層厚みや熱可塑性樹脂微粒子のＴｇ特性に応じて、複数段設けた構成でもよい。
【００６８】
一方、インラインセンサ９０は、記録媒体２４に定着された画像について、チェックパターンや水分量、表面温度、光沢度などを計測するための計測手段であり、ＣＣＤラインセンサなどが適用される。
【００６９】
上記の如く構成された定着部２０によれば、乾燥部１８で形成された薄層の画像層内の熱可塑性樹脂微粒子が定着ローラ８８によって加熱加圧されて溶融されるので、記録媒体２４に固定定着させることができる。また、定着ドラム８４の表面温度を５０℃以上に設定することで、定着ドラム８４の外周面に保持された記録媒体２４を裏面から加熱することによって乾燥が促進され、定着時における画像破壊を防止することができるとともに、画像温度の昇温効果によって画像強度を高めることができる。
【００７０】
また、インク中にＵＶ硬化性モノマーを含有させた場合は、乾燥部で水分を充分に揮発させた後に、ＵＶ照射ランプを備えた定着部で、画像にＵＶを照射することで、ＵＶ硬化性モノマーを硬化重合させ、画像強度を向上させることができる。
【００７１】
（排出部）
図１に示すように、定着部２０に続いて排出部２２が設けられている。排出部２２は、排出トレイ９２を備えており、この排出トレイ９２と定着部２０の定着ドラム８４との間に、これらに対接するように渡し胴９４、搬送ベルト９６、張架ローラ９８が設けられている。記録媒体２４は、渡し胴９４により搬送ベルト９６に送られ、排出トレイ９２に排出される。
【００７２】
また、図には示されていないが、本例のインクジェット記録装置１０には、上記構成の他、各インクジェットヘッド７２Ｍ，７２Ｋ，７２Ｃ，７２Ｙにインクを供給するインク貯蔵／装填部、処理液付与部１４に対して処理液を供給する手段を備えるとともに、各インクジェットヘッド７２Ｍ，７２Ｋ，７２Ｃ，７２Ｙのクリーニング（ノズル面のワイピング、パージ、ノズル吸引等）を行なうヘッドメンテナンス部や、用紙搬送路上における記録媒体２４の位置を検出する位置検出センサ、装置各部の温度を検出する温度センサなどを備えている。
【００７３】
図２は、ヘッド７２の構造例を示す平面図であり、ヘッド７２をノズル面７２Ａ側から見た図である。また、図３は図２の一部拡大図である。
【００７４】
図４はヘッド７２をノズル面の反対側から見た平面透視図である。図４に示すように、ヘッド７２はｎ個のヘッドモジュール７２−ｉ（ｉ＝１，２，３，…，ｎ）を長手方向（記録媒体２４（図１参照）の搬送方向と直交する方向）に沿ってつなぎ合わせた構造を有し、記録媒体の全幅に対応する長さにわたって複数のノズル（図２中不図示）が設けられている。
【００７５】
各ヘッドモジュール７２−ｉは、ヘッド７２における短手方向の両側からヘッドモジュール支持部材７２Ｂ（以下、「ウイングカバー部」ともいう）によって支持されている。また、ヘッド７２の長手方向における両端部はヘッド支持部材７２Ｄによって支持されている。
【００７６】
ノズル面７２Ａには、インクの付着を防止するため、ノズル面７２Ａの表面に撥水膜が形成されている。撥水膜を形成することにより、ノズル面７２Ａにインクが付着することを防止し、インク液滴の吐出方向にばらつきが生じることを防止することができる。
【００７７】
撥水膜を形成する方法としては、フルオロアルキルシランを真空蒸着法で蒸着させる方法、低分子のシロキサンをプラズマ重合させてフッ素含有プラズマ重合膜、シリコン系プラズマ重合撥液膜などを形成する方法、フッ化炭素鎖を有するシランカップリング剤を付与する方法を用いることができる。
【００７８】
フッ素系シランカップリング剤（塩素型、メトキシ型、エトキシ型、イソシアナト型など）を用いて撥液性を有する膜を形成する方法として、たとえば、物理的気相成長法（蒸着法、スパッタリング法など）や化学気相成長法（ＣＶＤ法、ＡＬＤ法など）などのドライプロセス法や、ゾルゲル法、塗布法、スピンコート法などのウェットプロセス法などによって形成することができる。
【００７９】
また、ウイングカバー部７２Ｂは、たとえば、エポキシ樹脂により形成されており、エポキシ基は親水性を有するため、ウイングカバー部７２Ｂに洗浄液を保持することができる。
【００８０】
図３に示すように、各ヘッドモジュール７２−ｉ（ｎ番目のヘッドモジュール７２−ｎ）は、複数のノズルがマトリクス状に配列された構造を有している。図３において符号１５１Ａを付して図示した斜めの実線は、複数のノズルが一列に並べられたノズル列を表している。
【００８１】
図４（ａ）は、ヘッドモジュール７２−ｉの平面透視図であり、図４（ｂ）はその一部の拡大図である。
【００８２】
記録媒体２４上に形成されるドットピッチを高密度化するためには、ヘッド７２におけるノズルピッチを高密度化する必要がある。本例のヘッドモジュール７２−ｉは、図４（ａ）、（ｂ）に示すように、インク吐出口であるノズル１５１と、各ノズル１５１に対応する圧力室１５２等からなる複数のインク室ユニット（記録素子単位としての液滴吐出素子）１５３を千鳥でマトリクス状に（２次元的に）配置させた構造を有し、これにより、ヘッド長手方向（記録媒体２４の搬送方向と直交する方向；主走査方向）に沿って並ぶように投影される実質的なノズル間隔（投影ノズルピッチ）の高密度化を達成している。
【００８３】
各ノズル１５１に対応して設けられている圧力室１５２は、その平面形状が概略正方形となっており、対角線上の両隅部の一方にノズル１５１が設けられ、他方に供給口１５４が設けられている。なお、圧力室１５２の形状は、本例に限定されず、平面形状が四角形（菱形、長方形など）、五角形、六角形その他の多角形、円形、楕円形など、多様な形態があり得る。
【００８４】
かかる構造を有するインク室ユニット１５３を図４（ｂ）に示す如く、主走査方向に沿う行方向および主走査方向に対して直交しない一定の角度θを有する斜めの列方向に沿って一定の配列パターンで格子状に多数配列させることにより、本例の高密度ノズルヘッドが実現されている。
【００８５】
即ち、主走査方向に対してある角度θの方向に沿ってインク室ユニット１５３を一定のピッチｄで複数配列する構造により、主走査方向に並ぶように投影されたノズルのピッチＰはｄ×ｃｏｓθとなり、主走査方向については、各ノズル１５１が一定のピッチＰで直線状に配列されたものと等価的に取り扱うことができる。このような構成により、主走査方向に並ぶように投影されるノズル列が１インチ当たり２４００個（２４００ノズル／インチ）におよぶ高密度のノズル構成を実現することが可能になる。
【００８６】
なお、本発明の実施に際してノズルの配置構造は図示の例に限定されず、副走査方向に一列のノズル列を有する配置構造など、様々なノズル配置構造を適用できる。
【００８７】
また、本実施形態においては、ノズル面７２Ａに、インクを供給するノズル１５１とは別に、洗浄液を供給する洗浄液供給ノズル１７０を有している。洗浄液供給ノズル１７０は、ノズル面清掃装置でノズル面７２Ａをワイピングする際に、洗浄液供給ノズルから洗浄液を補給するために形成されている。
【００８８】
洗浄液供給ノズルから洗浄液を補給することで、払拭部材を湿らせた状態でワイピングを行なうことができるので、乾燥した払拭部材によりノズル面７２Ａが傷付くことを防止することができる。また、洗浄液を払拭部材に含浸させることにより、ノズル１５１からのインクの引き出し量を抑えることができ、払拭部材の顔料濃度を下げることができる。したがって、高濃度の顔料を含む払拭部材によりノズル面７２Ａが傷つけられることを防止することができる。特に、黒色顔料には、研磨材として使用されるカーボンが含まれるため、黒色顔料を含む払拭部材によるノズル面７２Ａの劣化を防止することができる。
【００８９】
図５は、インクジェットの立体的構成を示す断面図である。図５に示すように、各圧力室１５２は供給口１５４を介して共通流路１５５と連通されている。共通流路１５５はインク供給源たるインクタンク（不図示）と連通しており、インクタンクから供給されるインクは共通流路１５５を介して各圧力室１５２に供給される。
【００９０】
圧力室１５２の一部の面（図５において天面）を構成し、且つ、共通電極と兼用される振動板１５６には、個別電極１５７を備えた圧電素子１５８が接合されている。個別電極１５７に駆動電圧を印加することによって圧電素子１５８が変形して圧力室１５２の容積が変化し、これに伴う圧力変化によりノズル１５１からインクが吐出される。インク吐出後、圧電素子１５８が元の状態に戻る際、共通流路１５５から供給口１５４を通って新しいインクが圧力室１５２に再充填される。
【００９１】
本例では、ヘッド７２に設けられたノズル１５１から吐出させるインクの吐出力発生手段として圧電素子１５８を適用したが、圧力室１５２内にヒータを備え、ヒータの加熱による膜沸騰の圧力を利用してインクを吐出させるサーマル方式を適用することも可能である。
【００９２】
また、洗浄液供給ノズル１７０は、共通流路１５５と連通しており、共通流路１５５は、洗浄液の補給量を制御する洗浄液供給用ポンプ（不図示）、および洗浄液供給原たる洗浄液タンク（不図示）と連通している。洗浄液タンクから供給される洗浄液は、共通流路１５５を介して各洗浄液供給ノズル１７０に供給される。各洗浄液供給ノズル１７０に供給された洗浄液は、払拭部材によりワイピングされる際の洗浄液の背圧を制御することで、洗浄液の量を制御することができる。洗浄液の背圧制御は、インクの背圧制御とは別に行なうことができる。
【００９３】
また、本発明の適用範囲はライン型ヘッドによる印字方式に限定されず、記録媒体２４の幅方向（主走査方向）の長さに満たない短尺のヘッドを記録媒体２４の幅方向に走査させて当該幅方向の印字を行い、１回の幅方向の印字が終わると記録媒体２４の幅方向と直交する方向（副走査方向）に所定量だけ移動させて、次の印字領域の記録媒体２４の幅方向の印字を行い、この動作を繰り返して記録媒体２４の印字領域の全面にわたって印字を行なうシリアル方式を適用してもよい。
【００９４】
図６は、インクジェットヘッド７２のノズル面７２Ａから見た平面図である。洗浄液供給ノズル１７０の位置は、特に限定されず、ノズル面７２Ａをワイピングする際に、払拭部材を洗浄液で濡らすことができていれば特に限定されない。しかしながら、洗浄液供給ノズル１７０は、払拭部材による払拭方向に対して、ノズル１５１の上流側に設けられていることが好ましい。払拭部材による払拭方向の上流側に設けることにより、洗浄液供給ノズル１７０から供給された洗浄液により、ウェット状態となった払拭部材でノズル面７２Ａのワイピングを行なうことができるので、ノズル１５１から払拭部材により、インクを引き出すことを防止することができる。ノズル１５１からのインクの引き出しを防止することにより、顔料を含む払拭部材によりワイピングされることでで、ノズル面７２Ａの劣化を防止することができる。
【００９５】
また、洗浄液供給ノズル１７０は、ノズル面７２Ａのワイピング方向でインク吐出用のノズル１５１と隣り合う位置に形成されていることが好ましい（図６中、点線で示す線状で隣り合う位置）。洗浄液供給ノズル１７０とインク吐出用のノズル１５１とが、ワイピング方向でとなり隣り合う位置に形成されることにより、払拭部材で洗浄液供給ノズル１７０から洗浄液を引き出した位置で、インク吐出用のノズル１５１を払拭することができるので、インクの引き出しを防止し、効率良くワイピングを行なうことができる。
【００９６】
また、洗浄液供給ノズル１７０は、ノズル面７２Ａのノズルが形成されている領域の周囲にも設けられていることが好ましい。洗浄液供給ノズルをノズル面の周囲に設けることにより、払拭部材を洗浄液で濡らすことができるので、ノズルからインクを引き出してもインク濃度を下げることができ、ワイピングによりノズル面７２Ａが劣化することを防止することができる。
【００９７】
洗浄液供給ノズル１７０のサイズ、形状は特に限定されないが、インク吐出用のノズル１５１と同じ形状、同じサイズとしておくことが好ましい。インク吐出用のノズル１５１と同じ形状、同じサイズとすることにより、洗浄液供給ノズル１７０と、インク吐出用のノズル１５１と、を同じプロセス（エッチング条件同一化）で形成することができる。
【００９８】
〔メンテナンス部の説明〕
次にメンテナンス部の説明をする。図７は、インクジェット記録装置の描画部の概略構成を示す側面図である。
【００９９】
描画ドラム７０は、その回転軸２１８の両端部を一対の軸受２２２に軸支されて回転自在に設けられている（図８参照）。一対の軸受２２２は、インクジェット記録装置の本体フレーム２２０に設けられており、この一対の軸受２２２に回転軸２１８の両端部が軸支されることにより、描画ドラム７０は水平に取り付けられる（水平な設置面に対して回転軸２１８が平行に取り付けられる。）。
【０１００】
描画ドラム７０の回転軸２１８には、図示しない回転伝達機構を介してモータが連結されている。描画ドラム７０は、このモータに駆動されて回転する。
【０１０１】
４本のインクジェットヘッド７２Ｍ、７２Ｋ、７２Ｃ、７２Ｙは、描画ドラム７０の回転軸２１８を中心とした同心円上に一定の間隔をもって放射状に配置されている。なお、本例では、４本のインクジェットヘッド７２Ｍ、７２Ｋ、７２Ｃ、７２Ｙが、描画ドラム７０を挟んで左右対称になるように配置されている。すなわち、描画ドラム７０の中心を通る鉛直な線分に対してマゼンタのインクジェットヘッド７２Ｍとイエロのインクジェットヘッド７２Ｙとが左右対称に配置されるとともに、クロのインクジェットヘッド７２Ｋとシアンのインクジェットヘッド７２Ｃとが左右対称に配置されている。
【０１０２】
このように配置された各インクジェットヘッド７２Ｍ、７２Ｋ、７２Ｃ、７２Ｙは、それぞれその下端部に形成されたノズル面７２ＡＭ、７２ＡＫ、７２ＡＣ、７２ＡＹが、描画ドラム７０の外周面に対向して配置されるとともに、それぞれそのノズル面７２ＡＭ、７２ＡＫ、７２ＡＣ、７２ＡＹが、描画ドラム７０の外周面から所定高さの位置に位置する（描画ドラム７０の外周面とノズル面７２ＡＭ、７２ＡＫ、７２ＡＣ、７２ＡＹとの間に同じ量のギャップが形成される。）。また、そのノズル面７２ＡＭ、７２ＡＫ、７２ＡＣ、７２ＡＹに形成されたノズル列が、記録媒体２４の搬送方向と直交して配置される。
【０１０３】
さて、以上のように構成される描画部において各インクジェットヘッド７２Ｍ、７２Ｋ、７２Ｃ、７２Ｙは、図８に示すように、ヘッド支持フレーム２４０に取り付けられて、描画ドラム７０の周囲に配置される。
【０１０４】
ヘッド支持フレーム２４０は、描画ドラム７０の回転軸２１８と直交して設けられた一対のサイドプレート２４２Ｌ、２４２Ｒと、その一対のサイドプレート２４２Ｌ、２４２Ｒを上端部で連結する連結フレーム２４４とで構成されている。
【０１０５】
一対のサイドプレート２４２Ｌ、２４２Ｒは、板状に形成されており、描画ドラム７０を挟んで互いに対向するように配置されている。この一対のサイドプレート２４２Ｌ、２４２Ｒの内側には、各インクジェットヘッド７２Ｍ、７２Ｋ、７２Ｃ、７２Ｙを取り付けるための取付部２４６Ｍ、２４６Ｋ、２４６Ｃ、２４６Ｙが設けられている（図８では、便宜上、取付部２４６Ｋのみ図示）。
【０１０６】
取付部２４６Ｃ、２４６Ｍ、２４６Ｙ、２４６Ｋは、描画ドラム７０の回転軸２１８を中心とした同心円上に一定の間隔をもって放射状に配置されている。各インクジェットヘッド７２Ｍ、７２Ｋ、７２Ｃ、７２Ｙは、その両端に形成された被取付部２４８Ｍ、２４８Ｋ、２４８Ｃ、２４８Ｙ（図８では、便宜上、被取付部２４８Ｋのみ図示）を取付部２４６Ｍ、２４６Ｋ、２４６Ｃ、２４６Ｙに固定することにより、ヘッド支持フレーム２４０に取り付けられる。そして、このヘッド支持フレーム２４０に取り付けられることにより、各インクジェットヘッド７２Ｍ、７２Ｋ、７２Ｃ、７２Ｙが、描画ドラム７０の回転軸２１８を中心とした同心円上に一定の間隔をもって放射状に配置される。
【０１０７】
ヘッド支持フレーム２４０は、図示しないガイドレールにガイドされて、描画ドラム７０の回転軸２１８と平行にスライド移動自在に設けられている。そして、図示しないリニア駆動機構（たとえば、送りネジ機構など）に駆動されて、図８に実線で示す「画像記録位置」と図８に破線で示す「メンテナンス位置」との間を移動する。
【０１０８】
各インクジェットヘッド７２Ｍ、７２Ｋ、７２Ｃ、７２Ｙは、ヘッド支持フレーム２４０を画像記録位置に位置させると、描画ドラム７０の周囲に配置され、画像記録可能な状態になる。
【０１０９】
メンテナンス位置は、各インクジェットヘッド７２Ｍ、７２Ｋ、７２Ｃ、７２Ｙが描画ドラム７０から退避する位置に設定される。このメンテナンス位置には、各インクジェットヘッド７２Ｍ、７２Ｋ、７２Ｃ、７２Ｙを保湿するための保湿ユニット２５０が設けられる。
【０１１０】
保湿ユニット２５０には、各インクジェットヘッド７２Ｍ、７２Ｋ、７２Ｃ、７２Ｙのノズル面を覆うキャップ２５２Ｍ、２５２Ｋ、２５２Ｃ、２５２Ｙ（図８では、便宜上、キャップ２５２Ｋのみ図示）が備えられている。装置を長時間停止する場合などは、このキャップ２５２Ｍ、２５２Ｋ、２５２Ｃ、２５２Ｙでノズル面が覆われる。これにより、乾燥による不吐出が防止される。
【０１１１】
なお、このキャップ２５２Ｍ、２５２Ｋ、２５２Ｃ、２５２Ｙには、図示しない加圧・吸引機構が備えられており、ノズル内を加圧・吸引できるように構成されている。
【０１１２】
また、このキャップ２５２Ｍ、２５２Ｋ、２５２Ｃ、２５２Ｙには、図示しない洗浄液供給機構が備えられており、内部に洗浄液を供給できるように構成されている。
【０１１３】
キャップ２５２Ｍ、２５２Ｋ、２５２Ｃ、２５２Ｙの下方位置には廃液トレイ２５４が配置されている。キャップ２５２Ｍ、２５２Ｋ、２５２Ｃ、２５２Ｙに供給された洗浄液は、この廃液トレイ２５４に廃棄され、廃液回収配管２５６を介して廃液タンク２５８に回収される。
【０１１４】
画像記録位置とメンテナンス位置との間には、各インクジェットヘッド７２Ｍ、７２Ｋ、７２Ｃ、７２Ｙのノズル面７２ＡＭ、７２ＡＫ、７２ＡＣ、７２ＡＹを清掃するためのノズル面清掃装置２６０が設けられている。各インクジェットヘッド７２Ｍ、７２Ｋ、７２Ｃ、７２Ｙは、メンテナンス位置から画像記録位置に移動する過程で、または、画像記録位置からメンテナンス位置に移動する過程で、このノズル面清掃装置２６０によってノズル面７２ＡＭ、７２ＡＫ、７２ＡＣ、７２ＡＹが清掃される。
【０１１５】
以下、このノズル面清掃装置２６０の構成について説明する。
【０１１６】
≪ノズル面清掃装置の構成≫
図８に示すように、ノズル面清掃装置２６０は、洗浄液付与装置（洗浄液噴射部）２６２とノズル面払拭装置２６４とを備えて構成されている。
【０１１７】
洗浄液付与装置２６２は、画像記録位置からメンテナンス位置に向かって移動する各インクジェットヘッド７２Ｍ、７２Ｋ、７２Ｃ、７２Ｙのノズル面７２ＡＭ、７２ＡＫ、７２ＡＣ、７２ＡＹに洗浄液を付与する。
【０１１８】
ノズル面払拭装置２６４は、洗浄液が付与された各インクジェットヘッド７２Ｍ、７２Ｋ、７２Ｃ、７２Ｙのノズル面７２ＡＭ、７２ＡＫ、７２ＡＣ、７２ＡＹに払拭ウエブを押圧当接させて、ノズル面７２ＡＭ、７２ＡＫ、７２ＡＣ、７２ＡＹを払拭する。
【０１１９】
洗浄液付与装置２６２とノズル面払拭装置２６４は、ヘッド支持フレーム２４０の移動経路上に配置される。この際、ノズル面払拭装置２６４が洗浄液付与装置２６２に対してメンテナンス位置側に配置される。これにより、各インクジェットヘッド７２Ｍ、７２Ｋ、７２Ｃ、７２Ｙを画像記録位置からメンテナンス位置に移動させた際、洗浄液の付与後に払拭ウエブでノズル面７２ＡＭ、７２ＡＫ、７２ＡＣ、７２ＡＹを払拭することができる。
【０１２０】
≪洗浄液付与装置の構成≫
図９は、洗浄液付与装置２６２の概略構成図である。同図はフルライン型のヘッド７２の幅方向（副走査方向）から見た図であり、同図における紙面を貫く方向はヘッド７２の長手方向（記録媒体搬送方向と直交する主走査方向）である。
【０１２１】
洗浄液付与装置２６２は、ヘッド７２のノズル面７２Ａに塗布する洗浄液が保持される洗浄液保持面２６２Ａを有し、該洗浄液保持面２６２Ａに洗浄液を供給する洗浄液供給口２６３が洗浄液保持面２６２Ａの傾斜の上部１２６２Ｂにおける端部近傍に設けられる。また、洗浄液付与装置２６２には、洗浄液を貯留する洗浄液タンク２７１と、洗浄液保持面２６２Ａへの洗浄液の供給量（単位時間あたりの洗浄液供給量）を制御するポンプ２６５と、を具備している。
【０１２２】
ヘッド７２のノズル面７２Ａと洗浄液保持面２６２Ａの間に、洗浄液供給口２６３から流し込まれたわずかな量の洗浄液は、ノズル面７２Ａの撥液性を利用して濡れ広がるとともに、ノズル面７２Ａと洗浄液保持面２６２Ａとの間にメニスカスを形成しながら傾斜面を滑り落ちる。図９に符号Ｆを付した白抜き矢印線は、洗浄液のコート層２６１の移動方向（図９における左下方向）を示している。
【０１２３】
洗浄液保持面２６２Ａの傾斜面を滑り落ちた洗浄液は、洗浄液保持面２６２Ａの傾斜の下部２６２Ｃに設けられた回収トレイ２６６に落下する。回収トレイ２６６に集められた使用済みの洗浄液は、ポンプ２６７を動作させると、フィルタ２６８を介して洗浄液タンク２７１に送液され、再利用される。
【０１２４】
洗浄液が、ノズル面７２Ａと洗浄液保持面２６２Ａとの間にメニスカスを形成しながら傾斜面を滑り落ちるためには、ノズル面の表面性（接触角）、洗浄液保持面の表面性（接触角）、洗浄液の物性（粘度）、洗浄液の流速（単位時間あたりの供給量）、洗浄液供給口の形状、サイズ、を適宜最適化する必要がある。
【０１２５】
洗浄液保持面２６２Ａは、金属材料（例えば、ステンレス）や樹脂材料が適用される。さらに、洗浄液保持面２６２Ａに対する洗浄液の接触角が８０度以上となる表面性を有する態様が好ましい。なお、洗浄液保持面２６２Ａはノズル面７２Ａとの間に所定のクリアランスを維持することができればノズル面７２Ａに対して傾いていてもよいし、ノズル面７２Ａと洗浄液保持面２６２ＡとのクリアランスＨが１ｍｍ以上２ｍｍ以下の条件を満たすことができれば平面だけでなく球面や湾曲面としてもよい。
【０１２６】
洗浄液供給口２６３はヘッド７２の長手方向について少なくとも１つ設けられていればよいが、ヘッド７２の長手方向について複数の洗浄液供給口２６３を備える態様も可能である。
【０１２７】
洗浄液供給口２６３の開口部の平面形状は、直径１ｍｍの円形状が適用される。なお、洗浄液供給口２６３の平面形状は、だ円、四角形、多角形など円形状以外の形状を適用することも可能である。また、洗浄液供給口２６３のサイズは洗浄液の物性等に対応して適宜決められる。
【０１２８】
洗浄液供給口２６３は洗浄液付与装置２６２の内部に形成される不図示の内部流路と連通している。該流路は洗浄液付与装置２６２の底面に設けられる不図示の洗浄液流入口および該洗浄液流入口と連通する所要の外部流路を介してポンプ２６５と接続される。ポンプ２６５は、洗浄液タンク２７１と所要の外部流路を介して接続されて、洗浄液の供給量を制御する手段として機能している。ポンプ２６５を動作させると、洗浄液タンク２７１から洗浄液を汲み上げるとともに、洗浄液供給口１２３に所定量の洗浄液が供給される。図９に符号Ｓを付して図示した白抜き矢印線は、洗浄液付与装置２６２の内部における洗浄液の移動方向を表している。
【０１２９】
かかる構造を有する洗浄液付与装置２６２を、ノズル面７２Ａと洗浄液保持面２６２Ａとの間に洗浄液２６１を保持した状態を維持しながらヘッド７２を長手方向（図９における紙面を貫く方向）に移動させることで、ヘッド７２のノズル面７２Ａの全面にわたって洗浄液が塗布される。
【０１３０】
洗浄液は、ノズル面７２Ａに付着した固化インクを溶解しうる物性を有し、洗浄液保持面２６２Ａに洗浄液２６１を形成し得る物性を有し、洗浄効果のより高い専用の液体が適用される。たとえば、ＤＥＧｍＢＥ（ジエチレングリコールモノブチルエーテル）などの溶剤が含まれている洗浄液を適用可能である。
【０１３１】
また、洗浄液付与装置２６２は、傾斜したインクジェットヘッド７２の傾斜の下側のウイングカバー部７２Ｂに付着した洗浄液を除去するためのブレード２６９を備える。インクジェットヘッド７２が傾斜していると、ノズル面７２Ａに付与した洗浄液が、インクジェットヘッド７２の傾斜により傾斜の下側のウイングカバー部７２Ｂに溜まり、洗浄液が装置内に垂れることが考えられるため、液タレ防止の観点から傾斜の下側のウイングカバー部７２Ｂに付着した洗浄液をブレード２６９で除去する。
【０１３２】
図１０は、洗浄液保持面２６２Ａと対向する面側（ヘッド７２のノズル面７２Ａ側）から洗浄液保持面２６２Ａに洗浄液を供給するように構成された洗浄処理部の概略構成図である。図１０中、図９と同一または類似する部分には同一の符号を付し、その説明は省略する。
【０１３３】
同図に示す洗浄液付与装置２６２’は、洗浄液保持面２６２Ａの傾斜の上部における洗浄液保持面２６２Ａと対向する位置に洗浄液供給部２７０が設けられている。洗浄液供給部２７０の洗浄液保持面２６２Ａと対向する面には洗浄液供給口２６３が設けられている。図１０に符号Ｓ’を付した白抜き矢印線は、洗浄液供給部２７０内の洗浄液の移動方向（図１０における下方向）を表している。
【０１３４】
なお、図１０では図示を省略したが、図１０に示す洗浄液供給部２７０に付随して、図９に図示した洗浄液タンク２７１、およびポンプ２６５、回収トレイ２６６、ポンプ２６７、フィルタ２６８などが設けられている。
【０１３５】
図１０に図示した洗浄液付与装置２６２’は、洗浄液保持面２６２Ａと対向する面から洗浄液が供給される点以外は、図９に図示した洗浄液付与装置２６２と同一であり、ノズル面７２Ａと洗浄液保持面２６２Ａとの間に洗浄液供給口２６３から洗浄液がわずかに供給され、洗浄液はノズル面７２Ａと洗浄液保持面２６２Ａとの間を濡れ広がりながら傾斜の上部から下部へ移動し、ノズル面７２Ａの短手方向について洗浄液が均一に塗布される。
【０１３６】
上述したように、インクジェットヘッド７２が傾斜している場合、液タレ防止の観点から傾斜の下側のウイングカバー部７２Ｂに付着した洗浄液をブレード２６９で除去している。したがって、次工程のノズル面払拭装置でワイピングされる際のノズル面７２Ａ、および、ウイングカバー部７２Ｂに付着する洗浄液の量が異なっており、インクジェットヘッド７２の傾きの上側のウイングカバー部７２Ｂには、洗浄液が残り、傾きの下側のウイングカバー部７２Ｂには洗浄液が残らない状態となる。そのため、ノズル面の傾きの上側は、洗浄液で濡れている状態でノズル面をワイピングすることができるが、ノズル面の傾きの下側では、洗浄液で濡れていない状態でノズル面をワイピングすることになる。したがって、ノズル面の傾きの下側では顔料をノズル１５１から引き出しやすくなってしまい、傾きの上側と比較してワイプ耐久性が低下する場合がある。
【０１３７】
図１１は、インクジェットヘッドのノズル面の他の態様を示す平面図である。本実施形態においては、図１１（ａ）に示すように、洗浄液供給ノズル１７１ａ、１７１ｂのノズルサイズをヘッドのノズル面の下半分の洗浄液供給ノズル１７１ｂのサイズを、上側の洗浄液供給ノズル１７１ａのサイズより大きくする、または、図１１（ｂ）に示すように、傾斜の上側から下側に向けて段階的に洗浄液供給ノズル１７２のサイズを大きくする。このような構成とすることにより、インクジェットヘッド７２の傾斜の下側のウイングカバー部７２Ｂに付着した洗浄液の量が少なくても、洗浄液供給ノズルから洗浄液を引き出しやすくすることができるので、インクを引き出すことなく、ワイピングを行なうことができる。
【０１３８】
≪ノズル面払拭装置の構成≫
図１２は、ノズル面払拭装置をメンテナンス位置側から見た側面図である。
【０１３９】
同図に示すように、ノズル面払拭装置２６４は、各インクジェットヘッド７２Ｍ、７２Ｋ、７２Ｃ、７２Ｙに対応して設けられた払拭ユニット３００Ｍ、３００Ｋ、３００Ｃ、３００Ｙと、その払拭ユニット３００Ｍ、３００Ｋ、３００Ｃ、３００Ｙがセットされる払拭装置本体フレーム３０２とで構成されている。
【０１４０】
（払拭装置本体フレームの構成）
払拭装置本体フレーム３０２は、水平に設置されており、図示しない昇降装置によって昇降自在に設けられている。この払拭装置本体フレーム３０２は、上端部が開口した箱状に形成されており、その内部に各払拭ユニット３００Ｍ、３００Ｋ、３００Ｃ、３００Ｙを装着するための払拭ユニット装着部３０４Ｍ、３０４Ｋ、３０４Ｃ、３０４Ｙが形成されている。
【０１４１】
払拭ユニット装着部３０４Ｍ、３０４Ｋ、３０４Ｃ、３０４Ｙは、払拭ユニット３００Ｍ、３００Ｋ、３００Ｃ、３００Ｙを収容可能な空間として形成されており、上部が開口して形成されている。各払拭ユニット３００Ｍ、３００Ｋ、３００Ｃ、３００Ｙは、各払拭ユニット装着部３０４Ｍ、３０４Ｋ、３０４Ｃ、３０４Ｙの上部開口部から鉛直下向きに差し込むことにより、各払拭ユニット装着部３０４Ｍ、３０４Ｋ、３０４Ｃ、３０４Ｙにセットされる。
【０１４２】
なお、各払拭ユニット装着部３０４Ｍ、３０４Ｋ、３０４Ｃ、３０４Ｙには、図示しないロック機構が備えられ、装着された払拭ユニット３００Ｍ、３００Ｋ、３００Ｃ、３００Ｙをロックできるように構成される。ロック機構は、たとえば、払拭ユニット３００Ｍ、３００Ｋ、３００Ｃ、３００Ｙを払拭ユニット装着部３０４Ｍ、３０４Ｋ、３０４Ｃ、３０４Ｙに差し込むと、自動的に作動するように構成される。
【０１４３】
＜払拭ユニットの構成＞
次に、払拭ユニット３００Ｍ、３００Ｋ、３００Ｃ、３００Ｙの構成について説明する。
【０１４４】
なお、各払拭ユニット３００Ｍ、３００Ｋ、３００Ｃ、３００Ｙの基本構成は共通しているので、ここでは払拭ユニット３００として、その構成を説明する。払拭ユニット装着部３０４Ｍ、３０４Ｋ、３０４Ｃ、３０４Ｙについても同様であり、払拭ユニット装着部３０４として説明する。
【０１４５】
図１３は払拭ユニットの平面図、図１４は払拭ユニットの正面部分断面図である。
【０１４６】
図１３、１４に示すように、払拭ユニット３００は、傾斜して設置された押圧ローラ３１８に帯状に形成された払拭ウエブ３１０を巻き掛け、この押圧ローラ３１８に巻き掛けた払拭ウエブ３１０をインクジェットヘッドのノズル面に押圧当接させることにより、インクジェットヘッドのノズル面を払拭清掃する。
【０１４７】
この払拭ユニット３００は、ケース３１２と、帯状に形成された払拭ウエブ３１０を繰り出す繰出軸３１４と、払拭ウエブ３１０を巻き取る巻取軸３１６と、繰出軸３１４から繰り出された払拭ウエブ３１０が押圧ローラ３１８に巻き掛けられるようにガイドする前段ガイド３２０と、押圧ローラ３１８に巻き掛けられた払拭ウエブ３１０が巻取軸３１６に巻き取られるようにガイドする後段ガイド３２２と、払拭ウエブ３１０を搬送するグリッドローラ（駆動ローラ）３２４とを備えて構成される。
【０１４８】
繰出軸３１４は、円柱状に形成され、その基端部をケース本体３２６に設けられた軸支持部に固定（片持ち支持）されて、ケース本体３２６の内部に水平に設置される。この繰出軸３１４には繰出コア３３８が着脱自在に装着される。なお、繰出軸３１４は、繰出コア３３８の長さよりも若干短く形成される。したがって、繰出コア３３８が装着されると、繰出軸３１４は、繰出コア３３８の内周部に退避する。
【０１４９】
繰出コア３３８は、円筒状に形成される。帯状に形成された払拭ウエブ３１０は、この繰出コア３３８にロール状に巻回される。
【０１５０】
繰出コア３３８は、その内周部に繰出軸３１４を挿入して、繰出軸３１４に嵌めることにより、繰出軸３１４に装着される。繰出軸３１４に装着された繰出コア３３８は、繰出軸３１４の周りを回転して、回転自在に支持される。
【０１５１】
なお、払拭ウエブ３１０には、たとえば、ＰＥＴ、ＰＥ、ＮＹ、アクリル等の極微細繊維を用いた編みまたは織りからなるシートが用いられ、払拭対象とするヘッドのノズル面の幅に対応した幅を有する帯状に形成される。
【０１５２】
巻取軸３１６は、繰出軸３１４の下方位置に水平に配設される。すなわち、巻取軸３１６と繰出軸３１４とは、上下に並列して配置される。
【０１５３】
この巻取軸３１６には、繰出コア３３８から繰り出された払拭ウエブ３１０を巻き取る巻取コア３４２が装着される。
【０１５４】
巻取コア３４２の構成は、繰出コア３３８の構成とほぼ同じである。すなわち、円筒状に形成される。繰出コア３３８に巻回された払拭ウエブ３１０の先端は、この巻取コア３４２に固定される。
【０１５５】
巻取コア３４２は、その内周部に巻取軸３１６を嵌めることにより、巻取軸３１６に装着される。
【０１５６】
巻取軸３１６の主軸は、その基端部がケース本体３２６の外側に突出して設けられており、その突出した基端部に巻取軸ギア３５８が取り付けられる。巻取軸３１６（主軸）は、この巻取軸ギア３５８が回転駆動されることにより回転する。
【０１５７】
押圧ローラ３１８は、繰出軸３１４の上方に配置されており（本例では、押圧ローラ３１８と繰出軸３１４と巻取軸３１６とが同一直線上に配置されている。）、水平面に対して所定角度傾斜して配置されている。すなわち、この押圧ローラ３１８は、払拭ウエブ３１０をインクジェットヘッド７２のノズル面７２Ａに押圧当接させるものであるため、払拭対象とするインクジェットヘッド７２のノズル面７２Ａの傾きに合わせて傾けて配置されている（ノズル面と平行になるように配置されている）。
【０１５８】
前段ガイド３２０は、第１前段ガイド３６０と、第２前段ガイド３６２とで構成され、繰出軸３１４から繰り出された払拭ウエブ３１０が、傾斜して設置された押圧ローラ３１８に巻き掛けられるようにガイドする。
【０１５９】
一方、後段ガイド３２２は、第１後段ガイド３６４と、第２後段ガイド３６６とで構成され、傾斜して設置された押圧ローラ３１８に巻き掛けられた払拭ウエブ３１０が、水平に設置された巻取軸３１６に巻き取れるようにガイドする。
【０１６０】
この前段ガイド３２０と後段ガイド３２２は、押圧ローラ３１８を挟んで対称に配置されている。すなわち、第１前段ガイド３６０と第１後段ガイド３６４とが押圧ローラ３１８を挟んで対称に配置されるとともに、第２前段ガイド３６２と第２後段ガイド３６６とが押圧ローラ３１８を挟んで対称に配置されている。
【０１６１】
第１前段ガイド３６０は、所定の幅を有する板状に形成されており、昇降ステージ３７０の上に垂直に立設されている。この第１前段ガイド３６０は、上縁部３６０Ａが、払拭ウエブ３１０の巻き掛け部として形成されており、その表面が円弧状に形成されている。また、この上縁部３６０Ａは、水平面に対して所定角度傾斜して形成されており、これにより、払拭ウエブ３１０の走行方向が変換される。
【０１６２】
第１後段ガイド３６４は、第１前段ガイド３６０と同じ構成である。すなわち、所定の幅を有する板状に形成されており、昇降ステージ３７０の上に垂直に立設されている。そして、その上縁部３６４Ａが、払拭ウエブ３１０の巻き掛け部として形成され、円弧状に形成されるとともに、水平面に対して所定角度傾斜して形成されている。
【０１６３】
この第１前段ガイド３６０と第１後段ガイド３６４とが、押圧ローラ３１８を挟んで対称に配置されている。繰出軸３１４から繰り出された払拭ウエブ３１０は、第１前段ガイド３６０に巻き掛けられることにより、繰出軸３１４と直交する方向から押圧ローラ３１８と略直交する方向に方向転換される。また、後述する第２後段ガイド３６６に巻き掛けられた払拭ウエブ３１０は、第１後段ガイド３６４に巻き掛けられることにより、巻取軸３１６と直交する方向に方向転換される。
【０１６４】
第２前段ガイド３６２は、両端部にフランジ３６２Ｌ、３６２Ｒを有するガイドローラとして構成されている。この第２前段ガイド３６２は、第１前段ガイド３６０と押圧ローラ３１８との間に配置され、第１前段ガイド３６０に巻き掛けられた払拭ウエブ３１０が、押圧ローラ３１８に巻き掛けられるようにガイドする。すなわち、第１前段ガイド３６０によって押圧ローラ３１８と略直交する方向に方向転換された払拭ウエブ３１０が、押圧ローラ３１８と直交する方向に走行するように、払拭ウエブ３１０の走行方向を微調整する。また、両端のフランジ３６２Ｌ、３６２Ｒによって、払拭ウエブ３１０の斜行を防止する。
【０１６５】
この第２前段ガイド３６２は、一端をブラケット３６８Ａに片持ち支持されて、所定角度傾斜して設けられている。ブラケット３６８Ａは、図１３に示すように、先端が屈曲したプレート状に形成されており、その基端部がケース本体３２６の背面上端部に固定されている。そして、そのケース本体３２６の上端部から上方に向けて垂直に突出して設けられている。第２前段ガイド３６２は、このブラケット３６８Ａの先端の屈曲部に片持ち支持されて回動自在に支持されている。
【０１６６】
第２後段ガイド３６６は、第２前段ガイド３６２と同じ構成である。すなわち、両端部にフランジ３６６Ｌ、３６６Ｒを有するガイドローラとして構成され、一端をブラケット３６８Ｂに片持ち支持されて、所定角度傾斜して設けられている。ブラケット３６８Ｂは、先端が屈曲したプレート状に形成されており、その基端部がケース本体３２６の背面上端部に固定されている。第２後段ガイド３６６は、このブラケット３６８Ｂの先端の屈曲部に片持ち支持されて回動自在に支持されている。
【０１６７】
この第２後段ガイド３６６は、押圧ローラ３１８と第１後段ガイド３６４との間に配置され、押圧ローラ３１８に巻き掛けられた払拭ウエブ３１０が、第１後段ガイド３６４に巻き掛けられるようにガイドする。
【０１６８】
この第２前段ガイド３６２と第２後段ガイド３６６とが、押圧ローラ３１８を挟んで対称に配置されている。第１前段ガイド３６０によって押圧ローラ３１８と略直交する方向に方向転換された払拭ウエブ３１０は、第２前段ガイド３６２に巻き掛けられることにより、押圧ローラ３１８と直交する方向に走行するように、走行方向が微調整される。また、押圧ローラ３１８に巻き掛けられた払拭ウエブ３１０は、第１後段ガイド３６４に巻き掛けられるように、第２後段ガイド３６６によって走行方向が微調整される。そして、第１後段ガイド３６４に巻き掛けられることにより、巻取軸３１６と直交する方向に方向転換される。
【０１６９】
このように、前段ガイド３２０と後段ガイド３２２は、段階的に払拭ウエブ３１０の走行方向を切り換えることにより、払拭ウエブ３１０が、無理なく押圧ローラ３１８に巻き掛けられるようにガイドする。
【０１７０】
このため、第１前段ガイド３６０の傾斜角度に比べて第２前段ガイド３６２の傾斜角度は押圧ローラ３１８の傾斜角度に近い角度となっており、同様に第１後段ガイド３６４の傾斜角度に比べて第２後段ガイド３６６の傾斜角度は押圧ローラ３１８の傾斜角度に近い角度となっている。
【０１７１】
ノズル面払拭装置２６４によりノズル面７２Ａがワイピングされている間、洗浄液供給ノズル１７０の背圧は、インク吐出用のノズル１５１の背圧より正圧側とすることが好ましい。このような構成とすることにより、洗浄液供給ノズル１７０内の洗浄液を、洗浄液供給ノズル１７０の吐出口側に配置させることができ、インク吐出用のノズル１５１内のインクをノズル内部に配置させることができる。したがって、ノズル面払拭装置２６４でノズル面７２Ａをワイピングする際に、洗浄液を洗浄液供給ノズル１７０より引き出し易くすることができ、インク吐出用のノズル１５１からのインクの引き出しを抑えることができる。
【０１７２】
また、ノズル面払拭装置２６４によりワイピングした後の、ノズル面７２Ａ、および、払拭ウエブ３１０の表面状態、着色を確認し、洗浄液供給ノズル１７０の背圧を制御することが好ましい。ノズル面７２Ａの表面にインク吐出用のノズル１５１からのインク顔料の引き出しが見られる場合、または、ワイピング後に払拭ウエブ３１０にインクの着色が見られる場合は、洗浄液供給ノズル１７０からの洗浄液の補給が不十分であると考えられる。したがって、洗浄液供給ノズル１７０の背圧を上げることで、洗浄液の引き出し量を増やすことが好ましい。また、ノズル面７２Ａに洗浄液の残渣が残る場合は、洗浄液の補給が十分であるため、洗浄液供給ノズル１７０の背圧を下げることで、洗浄液の引き出し量を下げることが好ましい。
【符号の説明】
【０１７３】
１０…インクジェット記録装置、１２…給紙部、１４…処理液付与部、１６…描画部、１８…乾燥部、２０…定着部、２２…排出部、２４…記録媒体、７０…描画ドラム、７２…インクジェットヘッド、７２Ａ…ノズル面、７２Ｂ…ヘッドモジュール支持部材（ウイングカバー部）、１５１…ノズル、１７０、１７１ａ、１７１ｂ、１７２…洗浄液供給ノズル、２６０…ノズル面清掃装置、２６２…洗浄液付与装置、２６４…ノズル面払拭装置
【図１】
2013049246.tif 000003
【図２】
2013049246.tif 000004
【図３】
2013049246.tif 000005
【図４】
2013049246.tif 000006
【図５】
2013049246.tif 000007
【図６】
2013049246.tif 000008
【図７】
2013049246.tif 000009
【図８】
2013049246.tif 000010
【図９】
2013049246.tif 000011
【図１０】
2013049246.tif 000012
【図１１】
2013049246.tif 000013
【図１２】
2013049246.tif 000014
【図１３】
2013049246.tif 000015
【図１４】
2013049246.tif 000016